(57)【要約】      （修正有）【課題】太陽光を用いて遠距離に送光、送熱する事により色々な場所に於いて自然な野菜を作る事が出来る。また海中においては海底に太陽光を送光、送熱する事により海藻の栽培も期待できる多方面利用太陽光集光装置を提供する。【解決手段】太陽光を、地上の取り付けレンズ（正方形凸）より集光、光量が不足する場合は必要に応じ他グループを併せて遠方に送光、送熱する。また曲がり部分については、レンズ（凸）により焦点を合わせ確実に後部に送光、送熱し、ビルの地下、トンネルの内部、ビニールハウス等必要な部分に放光、放熱する。【選択図】図１
0003142296.tif 000002
【実用新案登録請求の範囲】
【請求項１】
太陽光を、地上の取り付けレンズ（正方形凸）より集光、光量が不足する場合は必要に応じ他グループを併せて遠方に送光、送熱する、また曲がり部分については、レンズ（凸）により焦点を合わせ確実に後部に送光、送熱し、ビルの地下、トンネルの内部、ビニールハウス等必要な部分に放光、放熱する、多方面利用太陽光集光装置である。
【請求項２】
太陽光を、地上又は海上に於いて、集光し海中に放光、放熱する、放光、放熱にあたっては、必ず底部にレンズ（凹）を取り付け、下側に空気を補充し、海中のゴミが付着しないようにした多方面利用太陽光集光装置である。
【考案の詳細な説明】
【技術分野】
【０００１】  本考案は、集光した太陽光を熱と共に放光、放熱する装置である。
【背景技術】
【０００２】  従来、地下室等に太陽光を伝える装置はあるが、遠距離に送光、送熱する装置、または海中に送光、送熱する装置は無いのである。
【考案の開示】
【考案が解決しようとする課題】
【０００３】  地下室等で野菜等を作る物は、現在すでにあるのだが、太陽光を用いて遠距離に送光、送熱する事により色々な場所に於いて自然な野菜を作る事が出来る、また海中においては海底に太陽光を送光、送熱する事により海藻の栽培も期待できる。
【課題を解決するための手段】
【０００４】  本考案は、太陽光を集光するのに無駄を少なくする為四角のレンズ（凸）を使用し、送光、送熱途中でもレンズ（凸）を使用、焦点を合わせ後部に送光、送熱する。
【考案の効果】
【０００５】  現在、近場に送光、送熱するものはあるが、遠距離に送光、送熱するのはなく、この装置は、曲がりがある遠距離にも送光、送熱が出来、設定によっては冬場に夏場の野菜の栽培等色々な使用がきる、また海中に於いても水深のある所で海藻の栽培も可能である。
【考案を実施するための最良の形態】
【０００６】  ブロック１つづつに太陽光を入れ確実に送光、送熱するのを確認する。【０００７】  以下、添付図面に従って説明する、１は集光器で太陽光アを３の集光レンズで地上に於いて集光し４の鏡状集光導管で送光、送熱し５の焦点集光レンズで焦点を合わせ６の鏡状のブロック集光器で送光、送熱し、７の鏡状ブロック導管で送光、送熱し、曲り部分では５の焦点集光レンズで焦点を合わせ送光、送熱をしＡブロックとして、７の鏡状ブロック導管で送光、送熱し、５の焦点集光レンズで焦点を合わせ９の鏡状のブロック集光器で送光、送熱し、曲り部分では５の焦点集光レンズで焦点を合わせ送光、送熱し、２の鏡状の導管で送光、送熱し、８の放光レンズで太陽光の必要な地下室等へ放光、放熱する。【０００８】  海上に於いては、フロート上で、上記と同様１の集光器でアの太陽光を集光し、２の鏡状の導管で送光、送熱し、８の放光レンズで太陽光の必要な海底に放光、放熱する、また８の放光レンズの下側には１１の空気を必ず注入してレンズの汚れを防ぐ。
【産業上の利用可能性】
【０００９】１．直接太陽光が当たらない箇所での植物の栽培
２．ビニルハウス内の光源、温度を上げる。
３．トンネル内の照明
４．海中での海藻の栽培
【図面の簡単な説明】
【００１０】
【図１】本考案の、地上での概略図である。
【図２】海上に於ける概略図である。
【図３】集光器の上部からみた図面である。
【図４】３の取り付けレンズである。
【図５】集光器の側面から見た図面である。
【図６】地上に於けるブロック集合図面である。
【図７】海上に於けるブロック集合である。
【符号の説明】
【００１１】ア  太陽光
イ  放光
１  集光器
２  鏡状の導管
３  集光レンズ
４  鏡状の集光導管
５  焦点集光レンズ
６  鏡状のブロック集光器
７  鏡状のブロック導管
８  放光レンズ
９  鏡状のブロック集光器
１０  フロート
１１  空気
【図１】
0003142296.tif 000003
【図２】
0003142296.tif 000004
【図３】
0003142296.tif 000005
【図４】
0003142296.tif 000006
【図５】
0003142296.tif 000007
【図６】
0003142296.tif 000008
【図７】
0003142296.tif 000009
【手続補正書】
【提出日】平成20年2月21日(2008.2.21)
【手続補正１】
【補正対象書類名】実用新案登録請求の範囲
【補正対象項目名】全文
【補正方法】変更
【補正の内容】
【実用新案登録請求の範囲】
【請求項１】
太陽光を地上又は海上に取り付けた正方形集光レンズ、内側が鏡状の集光器、導管等の組み合わせにより集光、集熱をし光量、熱量が不足する場合は、同じ様な別に取り付けた正方形集光レンズ、内側が鏡状の集光器、導管等を組み合わせた別ブロックを併せて、必要な光量、熱量を確保し、ビルの地下、トンネルの内部、ビニールハウス、海中等太陽光を必要とする部分に放光レンズを使用し放光、放熱する多方面利用太陽光集光装置。
【請求項２】
太陽光を地上又は海上に取り付けた正方形集光レンズ、内側が鏡状の集光器、導管等の組み合わせにより集光、集熱した太陽光を送光、送熱する際、内側が鏡状の導管に曲りが必要な時は鏡状の導管の曲がり部分の前に焦点集光レンズを組み込み、焦点を合わせ集光、集熱し、確実に後部に送光、送熱する多方面利用太陽光集光装置。
【手続補正２】
【補正対象書類名】明細書
【補正対象項目名】０００４
【補正方法】変更
【補正の内容】
【０００４】  本考案は、太陽光を集光するのに無駄を少なくする為四角の集光レンズを使用し、内側が鏡状の導管等を組み合わせ送光、送熱、途中でも集光が必要な箇所には焦点集光レンズを使用、焦点を合わせ後部に送光、送熱する。
【手続補正３】
【補正対象書類名】明細書
【補正対象項目名】０００７
【補正方法】変更
【補正の内容】
【０００７】  以下、添付図面に従って説明する、１は集光器で太陽光アを３の集光レンズで地上に於いて集光、集熱、図５で４の内側が鏡状の集光導管で集光、集熱をし送光、送熱、５の焦点集光レンズで焦点を合わせ集光、集熱し、６の内側が鏡状のブロック集光器で集光、集熱をし送光、送熱、７の内側が鏡状ブロック導管で送光、送熱し、曲り部分では５の焦点集光レンズで焦点を合わせ集光、集熱し後部に送光、送熱Ａブロックとして又光量、熱量が不足する場合はＢ〜Ｐブロックを追加、光量、熱量確保し、７の内側が鏡状ブロック導管で送光、送熱し、５の焦点集光レンズで焦点を合わせ集光、集熱し９の内側が鏡状のブロック集光器で集光、集熱し送光、送熱、曲り部分では５の焦点集光レンズで焦点を合わせ集光、集熱し、送光、送熱、２の内側が鏡状の導管で送光、送熱し、８の放光レンズで太陽光の必要な地下室等へ放光、放熱する。
【手続補正４】
【補正対象書類名】明細書
【補正対象項目名】０００８
【補正方法】変更
【補正の内容】
【０００８】  海上に於いては、フロート上で、上記と同様１の集光器でアの太陽光を集光、集熱し、２の鏡状の導管で送光、送熱し、８の放光レンズで太陽光の必要な海底に放光、放熱する、また８の放光レンズの下側には１１の空気を必ず注入してレンズの汚れを防ぐ。
【手続補正５】
【補正対象書類名】明細書
【補正対象項目名】００１１
【補正方法】変更
【補正の内容】
【００１１】  ア  太陽光
イ  放光、放熱
１  集光器
２  内側が鏡状の導管
３  集光レンズ
４  内側が鏡状の集光導管
５  焦点集光レンズ
６  内側が鏡状のブロック集光器
７  内側が鏡状のブロック導管
８  放光レンズ
９  内側が鏡状のブロック集光器
１０  フロート
１１  空気
【手続補正６】
【補正対象書類名】図面
【補正対象項目名】図２
【補正方法】変更
【補正の内容】
【図２】
0003142296.tif 000010